(57)【要約】【課題】複数の測定工具が接続された表示機器によって、複数の測定工具を一元管理し易くする。【解決手段】複数の測定工具と、当該複数の測定工具とは別に設けられ、前記複数の測定工具と有線又は無線により接続された表示機器とを備え、前記複数の測定工具が、測定値を示す測定データを送信するデータ送信部を有し、前記表示機器が、前記データ送信部から送信された測定データを受信するデータ受信部と、前記データ受信部が受信した測定データが示す測定値をリアルタイムで表示する表示制御部とを有し、前記表示制御部が、前記複数の測定工具との通信接続状態と共に、当該通信接続されている測定工具の測定値を一覧表示する。【選択図】図３
2020049625.tif 000002
【特許請求の範囲】
【請求項１】
複数の測定工具と、当該複数の測定工具とは別に設けられ、前記複数の測定工具と有線又は無線により接続された表示機器とを備え、
前記複数の測定工具が、
測定値を示す測定データを送信するデータ送信部を有し、
前記表示機器が、
前記データ送信部から送信された測定データを受信するデータ受信部と、
前記データ受信部が受信した測定データが示す測定値をリアルタイムで表示する表示制御部とを有し、
前記表示制御部が、前記複数の測定工具との通信接続状態と共に、当該通信接続されている測定工具の測定値を一覧表示することを特徴とする工具システム。
【請求項２】
前記表示制御部が、前記通信接続されている測定工具に設定された識別情報をさらに表示する請求項１記載の工具システム。
【請求項３】
前記表示制御部が、前記一覧表示領域とは別領域に対し、前記表示機器と過去に通信接続されたことがある測定工具であって現在通信接続されていない測定工具の識別情報を表示する請求項１又は２のいずれかに記載の工具システム。
【請求項４】
前記表示制御部が、前記一覧表示領域内に表示する通信接続されている測定工具の測定値の表示色、識別情報の表示色、又は、測定値及び識別情報の背景色の少なくとも一つを当該測定工具の種別に応じて変化させて表示する請求項１乃至３のいずれかに記載の工具システム。
【請求項５】
前記表示機器が、前記一覧表示された測定工具の中からユーザが選択した測定工具を示す選択信号を受け付ける選択信号受付部をさらに有し、
前記表示制御部が、前記選択信号受付部が受け付けた選択信号に基づいて、前記一覧表示から、選択された測定工具の測定値を個別表示する個別画面に切り替える請求項１乃至４のいずれかに記載の工具システム。
【請求項６】
複数の測定工具とは別に設けられ、前記複数の測定工具と有線又は無線により接続される表示機器に用いられるプログラムであって、
前記複数の測定工具から送信された測定値を示す測定データを受信するデータ受信部と、
前記測定データが示す測定値をリアルタイムで表示する表示制御部としての機能を前記表示機器に発揮させるものであり、
前記表示制御部が、前記複数の測定工具との通信接続状態と共に、当該通信接続されている測定工具の測定値を一覧表示することを特徴とする工具システム用プログラム。
【発明の詳細な説明】
【技術分野】
【０００１】
本発明は、工具システム及びこれに用いられる工具システム用プログラムに関するものである。
【背景技術】
【０００２】
従来、トルクレンチ等の締付工具としては、締付トルクを測定する測定器と、この測定器により測定された締付トルクが表示されるディスプレイとを備えたものがある。このような締付工具を用いれば、作業者は締付トルクを確認しながら作業を進めることができる。
【０００３】
一方、引用文献１には、表示機器を締付工具とは別体にして、これらを配線接続することで、締付トルクが表示機器に表示される構成が記載されている。このような構成であれば、締付工具そのものを小型で軽量なものにすることができ、例えば狭小な作業空間でも使い勝手が良い。
【０００４】
ところで、近年、締付工具以外にもデプスゲージやノギス等の測定工具において、作業時に測定値を示す測定データを取得するものが多数開発されており、これら複数の測定工具を表示機器に接続して一元管理することが求められると予想される。一方、前記したような表示機器は、配線接続された測定工具の測定値のみを表示する構成になっているため、複数の測定工具を接続して一元管理することができない。
【先行技術文献】
【特許文献】
【０００５】
【特許文献１】特許第４２９６７６４号
【発明の概要】
【発明が解決しようとする課題】
【０００６】
そこで、本発明は、複数の測定工具が接続された表示機器によって、複数の測定工具を一元管理し易い工具システムを得ることを主な課題とするものである。
【課題を解決するための手段】
【０００７】
すなわち、本願発明に係る工具システムは、複数の測定工具と、当該複数の測定工具とは別に設けられ、前記複数の測定工具と有線又は無線により接続された表示機器とを備え、前記複数の測定工具が、測定値を示す測定データを送信するデータ送信部を有し、前記表示機器が、前記データ送信部から送信された測定データを受信するデータ受信部と、前記データ受信部が受信した測定データが示す測定値をリアルタイムで表示する表示制御部とを有し、前記表示制御部が、前記複数の測定工具との通信接続状態と共に、当該通信接続されている測定工具の測定値を一覧表示することを特徴とするものである。
【０００８】
このようなものであれば、表示機器に対し、複数の測定工具との通信接続状態と共に、当該通信接続されている測定工具の測定値が一覧表示されるため、当該一覧表示を参照することにより、表示機器に接続されている各測定工具を瞬時に把握することができる。また、一覧表示される測定値は、通信接続されている測定工具から受信した測定データを示す測定値がリアルタイムで表示されるため、当該一覧表示を参照することにより、表示機器に接続されている各測定工具の使用状態も瞬時に把握できる。このため、管理者が、一覧表示を参照することにより、各測定工具の使用状態が把握でき、これに伴って各測定工具を使用する作業者の作業状況も把握できるようになる。
【０００９】
また、具体的には、前記表示制御部が、前記通信接続されている測定工具に設定された識別情報をさらに表示するものであってもよい。このようなものであれば、表示機器に接続されている各測定工具を明確に区別することができる。
【００１０】
また、前記一覧表示領域と別領域に対し、前記表示機器と過去に通信接続されたことがある測定工具であって現在通信接続されていない測定工具の少なくとも識別情報を表示するものであってもよい。
【００１１】
このようなものであれば、過去に通信接続されたことがある測定工具の識別情報が、通信接続されていなくても画面上に表示されるため、当該測定工具の接続し忘れを防止することができる。
【００１２】
また、前記表示制御部が、前記一覧表示領域内に表示する通信接続されている測定工具の測定値の表示色、識別情報の表示色、又は、測定値及び識別情報の背景色の少なくとも一つを当該測定工具の種別に応じて変化させて表示するものであってもよい。
【００１３】
このようなものであれば、測定工具の種別に応じた色から直感的にどのような種別の測定工具１０が通信接続されているか把握できるようになる。
【００１４】
また、前記表示機器が、前記一覧表示された測定工具の中からユーザが選択した測定工具を示す選択信号を受け付ける選択信号受付部をさらに有し、前記表示制御部が、前記選択信号受付部が受け付けた選択信号に基づいて、前記一覧表示から、選択された測定工具の測定値を個別表示する個別画面に切り替えるものであってもよい。
【００１５】
このようなものであれば、個別画面に対し、測定工具の測定値を含む詳細情報を表示することにより、一覧表示された測定工具の中から選択した測定工具の詳細を容易に確認することができるようになる。
【００１６】
また、本発明に係る工具システム用プログラムは、複数の測定工具とは別に設けられ、前記複数の測定工具と有線又は無線により接続される表示機器に用いられるプログラムであって、前記複数の測定工具から送信された測定値を示す測定データを受信するデータ受信部と、前記測定データが示す測定値をリアルタイムで表示する表示制御部としての機能を前記表示機器に発揮させるものであり、前記表示制御部が、前記複数の測定工具との通信接続状態と共に、当該通信接続されている測定工具の測定値を一覧表示することを特徴とするものである。
【００１７】
このように構成された工具システム用プログラムを既存の工具システムにインストールすることによって、上述した工具システムと同様の作用効果を奏し得る。なお、工具システム用プログラムは電子的に配信されるものであってもよいし、ＣＤ、ＤＶＤ、フラッシュメモリ等のプログラム記録媒体に記録されたものであってもよい。
【発明の効果】
【００１８】
このように構成した本発明によれば、複数の測定工具が接続された表示機器によって、複数の測定工具を一元管理し易くなる。
【図面の簡単な説明】
【００１９】
【図１】本実施形態における工具システムの構成を示す模式図。
【図２】同実施形態の表示機器の機能を説明するための機能ブロック図。
【図３】同実施形態の管理画面の表示態様の一例を説明するための図。
【図４】同実施形態の個別画面の表示態様の一例を説明するための図。
【図５】同実施形態のスクロール表示の具体例を説明するための図である。
【図６】同実施形態のスクロール表示の具体例を説明するための図である。
【図７】同実施形態の個別画面の表示態様の一例を説明するための図。
【図８】同実施形態の個別画面の表示態様の一例を説明するための図。
【図９】同実施形態の個別画面の表示態様の一例を説明するための図。
【発明を実施するための形態】
【００２０】
以下に本発明に係る工具システムの一実施形態について説明する。
【００２１】
本実施形態の工具システム１００は、自動車、鉄道車両、航空機やその他の種々の装置の組み立て、解体、点検等の作業現場において用いられるものであり、図１に示すように、複数の測定工具１０と、複数の測定工具１０に有線又は無線により接続される表示機器２０と、を備えている。
【００２２】
なお、本実施形態においては、測定工具１０として、締付工具であるトルクレンチ１０ａと、長さ測定工具であるノギス１０ｂ及びデプスゲージ１０ｃと、を使用している。なお、締付工具としては、トルクレンチ１０ａ以外にもドライバーやスパナ等の種々のものを使用してもよく、また、長さ測定工具としては、ノギス１０ｂやデプスゲージ１０ｃ以外の種々のものを使用してもよい。また、測定工具１０として、タイヤインフレータ等を使用してもよい。
【００２３】
測定工具１０は、測定機構１１と、表示機器２０と通信する通信手段１２と、を備えたものであり、この通信手段１２が測定機構１１により測定された測定値を示す測定データを送信するデータ送信部１３としての機能を有している。なお、測定機構１１は、トルクレンチ１０ａであればネジ等の締付トルクを測定する機構であり、長さ測定工具１０ｂであれば対象物の長さを測定する機構である。
【００２４】
表示機器２０は、ＣＰＵ、メモリ、ディスプレイ（画面）Ｄ、入力手段などを有するものであり、ここでは測定工具１０と無線により通信可能な例えばスマートフォンやタブレット端末等といった、作業者が携帯可能なタッチパネルディスプレイを有するモバイル端末である。そして、この表示機器２０は、前記メモリに格納された工具システム用プログラムに基づいて、図２に示すように、データ受信部２１、表示制御部２２、選択信号受付部２３等としての機能を発揮するように構成されている。
【００２５】
以下、各部の説明を兼ねて、表示機器２０の動作を説明する。
【００２６】
データ受信部２１は、上述したデータ送信部１３から送信された測定データを受信して、表示制御部２２に出力する。
【００２７】
表示制御部２２は、図３に示すように、ディスプレイＤの表示内容を制御するものであり、複数の測定工具１０との通信接続状態と共に、通信接続されている測定工具１０に関する測定値及び識別情報を一覧表示する。また、表示制御部２２は、識別情報の隣に測定値をその単位と共に表示する。本実施形態では、表示制御部２２は、トルクレンチ１０ａの識別情報（図３中、「ＡＡＡＡ」）の隣に測定値をその単位（図３中、「Ｎ・ｍ」）と共に表示すると共に、ノギス１０ｂの識別情報（図３中、「ＢＢＢＢ」）の隣に測定値をその単位（図３中、「ｍｍ」）と共に表示する。この一覧表示された画面が、表示機器２０に通信接続された複数の測定工具を一元管理するための管理画面となる。
【００２８】
ここで、識別情報とは、例えば、測定工具１０毎に設定されているＭＡＣアドレス、測定工具毎に予め設定された任意の名称（例えば、機種名等）等である。
【００２９】
また、表示制御部２２は、管理画面において、通信接続されている測定工具１０から受信した測定データが示す測定値をリアルタイムで表示する。すなわち、通信接続されている測定工具１０によって測定される測定値が変化すると、これに伴って一覧表示に表示された当該通信接続されている測定工具１０の測定値も変化する。
【００３０】
表示制御部２２による管理画面の表示態様を具体的に説明すると、ディスプレイＤに設定された一覧表示領域Ｓ１内に、通信接続されている複数の測定工具１０に関する測定値及び識別情報を表形式で一覧表示する。
【００３１】
本実施形態では、測定工具が通信接続されると、表示制御部２２は、一覧表示領域Ｓ１内に通信接続された測定工具に対応する接続表示領域Ｓ２を表示すると共に、その接続表示領域Ｓ２内に、対応する測定工具の測定値及び識別情報を表示する。なお、各接続表示領域Ｓ２は、それぞれ異なる色になっており、この色は、対応する測定工具１０の種別によって定められている。すなわち、本実施形態では、接続表示領域Ｓ２の色を変化させることにより、測定値及び接続情報の背景色を測定工具１０の種別毎に変化させている。これにより、接続表示領域Ｓ２の色から直感的にどのような種別の測定工具１０が通信接続されているか把握できるようになる。なお、測定値や識別情報の表示色を測定工具１０の種別に応じて変化させても同様の作用効果が得られる。
【００３２】
また、表示制御部２２は、ディスプレイＤの一覧表示領域Ｓ１とは別に設定された非接続表示領域Ｓ３内に、表示機器２０に対して過去に通信接続された測定工具１０であって、現在通信接続されていない測定工具１０の少なくとも識別情報を表示する。本実施形態では、表示制御部２２は、一覧表示領域Ｓ１の下側に設定された非接続表示領域Ｓ３に現在接続されていないデプスゲージ１０ｃの識別情報（図３中、「ＣＣＣＣ」）を表示させる。
【００３３】
このように構成された工具システムによれば、表示機器２０を測定工具１０とは別体にしてあるので、測定工具１０の小型化や軽量化を図ることができる。また、表示機器２０に対し、複数の測定工具１０との通信接続状態と共に、当該通信接続されている測定工具１０の測定値が一覧表示されるため、当該一覧表示を参照することにより、表示機器２０に接続されている各測定工具１０を瞬時に把握することができる。また、一覧表示される測定値は、通信接続されている測定工具１０から受信した測定データを示す測定値がリアルタイムで表示されるため、当該一覧表示を参照することにより、表示機器２０に接続されている各測定工具１０の使用状態も瞬時に把握できる。
【００３４】
選択信号受付部２３は、一覧表示領域Ｓ１内に表示された通信接続されている測定工具１０の中からユーザ（例えば、作業者や管理者等）が選択した測定工具１０を示す選択信号を受け付けるものである。本実施形態では、選択信号受付部２３は、ユーザが選択した測定工具１０に対応する接続表示領域Ｓ２におけるタッチパネルへの入力（例えば、指先で画面に触れるタップ操作）によって生成される選択信号を受け付ける構成になっている。
【００３５】
なお、表示制御部２２は、選択信号受付部２３で受け付けた選択信号に基づいて、一覧表示から選択された測定工具１０を個別表示する個別画面に切り替える。すなわち、表示制御部２２は、選択信号受付部２３で受け付けた選択信号に基づいて、管理画面から選択された測定工具１０に関する個別画面に切り替える。
【００３６】
そして、表示制御部２２は、個別画面に対し、選択された測定工具１０の測定値及び識別情報を少なくとも表示する。また、表示制御部２２は、個別画面に対し、測定値及び識別情報以外にも選択された測定工具１０の種別によって定められた情報を必要に応じて表示する。
【００３７】
なお、以下において、トルクレンチ１０ａの個別画面（図４〜７参照）を例示して、当該個別画面の表示態様を具体的に説明する。
【００３８】
表示制御部２２は、図４に示すように、ディスプレイＤに予め設定された測定値表示領域Ｓ４に締付トルク（測定値）をデジタル表示する。なお、本実施形態では、ディスプレイＤの中央部に設定された測定値表示領域Ｓ４に締付トルク及びその単位が表示される。
【００３９】
また、表示制御部２２は、ディスプレイＤに予め設定された識別情報表示領域Ｓ５に選択されたトルクレンチ１０ａ（測定工具１０）の識別情報を表示する。本実施形態では、ディスプレイＤにおける測定値表示領域Ｓ４の上側に設定された識別情報表示領域Ｓ５に選択されたトルクレンチ１０ａの名称（図４中、「ＡＡＡＡ」）が表示される。
【００４０】
また、表示制御部２２は、表示機器２０に設けられた設定データ受付部２４が受け付けた設定データの示す設定トルクを、ディスプレイＤに予め設定された設定トルク表示領域Ｓ６に表示する。本実施形態では、設定トルクが締付トルクよりも小さい文字サイズで表示され、この設定トルクの近傍に設定トルクを変更するためのスライダ等の設定トルク変更部Ｓ７が表示される。具体的には、測定値表示領域Ｓ４の右側に設定トルク変更部Ｓ７及び設定トルク表示領域Ｓ６が設けられている。
【００４１】
また、表示制御部２２は、ディスプレイＤに予め設定された詳細情報表示領域Ｓ８に詳細情報を表示する。なお、表示制御部２２が、詳細情報表示領域Ｓ８に表示する詳細情報の内容は、表示機器２０に設けられた切替信号受付部２５が受け付けた切替信号に基づいて切り替えられるように構成されている。本実施形態では、切替信号受付部２５が、ディスプレイＤにおける測定表示領域Ｓ４の下側に設定された詳細情報表示領域Ｓ８におけるタッチパネルへの入力（例えば、指先で画面に触れてその指を移動させるスワイプ操作）によって生成される切替信号を受け付けるように構成されている。
【００４２】
詳細情報表示領域Ｓ８に表示される詳細情報の第１例を図４〜図６に基づき説明する。表示制御部２２は、詳細情報表示領域Ｓ８に締付トルクをグラフ表示する。表示されるグラフＧは、例えば縦軸がトルク軸であり、横軸が時間軸である。
【００４３】
ここで、表示制御部２２は、締付トルクのグラフＧを時間軸に沿ってスクロール表示して、グラフの一部を拡大表示する。なお、図４では、グラフが左側にスクロールされる例を示している。
【００４４】
スクロール表示の態様としては、例えば以下の（１）、（２）等が考えられる。
【００４５】
（１）図５（ａ）に示すように、最新の締付トルクが時間軸の固定された所定の座標（図５（ａ）では、ｔ１の座標）にプロットされるようにグラフＧを左側にスクロールする。
【００４６】
（２）図５（ｂ）に示すように、締付トルクを時間軸の第１座標（例えば最小値）から順次プロットしていき、締付トルクのプロットが時間軸の第２座標（例えば最大値）に到達した場合に、グラフＧを左側にスクロールして、再び、締付トルクを時間軸の第１座標（例えば最小値）から順次プロットする。
【００４７】
また、表示制御部２２は、グラフＧとともに設定トルクを認識可能に表示する。例えば、グラフＧとともにグラフ表示領域Ｓ４に設定トルクを示すラインＬを表示する。これにより、作業中の締付トルクと設定トルクとを視覚的に認識可能となり、作業性を向上させることができる。
【００４８】
さらに、表示制御部２２は、タッチパネルへの入力に基づいてグラフＧをスクロール表示することができる。これにより、現在表示されている締付トルクの波形だけでなく、表示されていない過去の締付トルクの波形を遡って表示することができる。
【００４９】
その他、表示制御部２２は、図６に示すように、グラフＧに表示される締付トルクに基づいて、トルク軸の最大値又は最小値を変更するようにしても良い。つまり、トルク軸のレンジを変更するようにしても良い。これにより、表示される締付トルクに合わせてグラフＧを拡大表示することができ、トルク変化を認識しやすくできる。
【００５０】
このような詳細情報を個別画面に表示することにより、トルクレンチ１０ａとは別体の表示機器２０に、締付トルクのグラフＧを時間軸に沿ってスクロール表示するので、グラフＧの波形を従来に比べて拡大して表示することができ、締付トルクの変化を認識しやすくすることができる。
【００５１】
また、詳細情報表示領域Ｓ８に表示される詳細情報の第２例を図７に基づき説明する。表示制御部２２は、複数の測定時点における測定値を表形式で一覧表示する。本実施形態では、詳細情報表示領域Ｓ８内にはそれぞれ異なる３つまでの測定時点での締付トルクが表示される。
【００５２】
ここで、表示制御部２２は、測定時点を示すものであり、トルクレンチ１０ａによる締付が何回目であるかを示すＬＡＰ数と、そのＬＡＰ数における測定値である締付トルクを対にして各測定時点での測定値を一覧表示する。また、トルクレンチ１０ａにより作業が進められて、データ送信部１０から送信された新たな測定データがデータ受信部２１で受信されると、表示制御部２２は最新の締付トルクが表示されるように一覧表示を更新する。例えば図７に示すように、ＬＡＰ１〜３までが一覧表示されている状態で、新たな締付作業が行われるとＬＡＰ２〜４の各締付トルクが詳細情報表示領域Ｓ８内に表示される。さらに締付作業が行われると図７に示すようにＬＡＰ３〜５の各締付トルクが詳細情報表示領域Ｓ８内に表示される。この実施形態では表示制御部２２は最新のＬＡＰの測定値を詳細情報表示領域Ｓ８内において最も上側に表示するように構成されている。
【００５３】
なお、詳細情報表示領域Ｓ８内において各ＬＡＰに対応させて表示される締付トルクはトルクレンチ１０ａにより、締付けが開始されてから終了するまでの間での最大の締付トルクが表示される。例えばデータ受信部２１において受信された締付トルクの時系列データにおいて、締付トルクがＬＡＰ開始閾値を超え、その後ＬＡＰ終了閾値を下回るまでの区間が１つの測定区間として設定され、この測定区間中で最も大きい締付トルクがそのＬＡＰにおける測定値として詳細情報表示領域Ｓ８内に表示される。
【００５４】
また、表示制御部２２はタッチパネルを介して詳細情報表示領域Ｓ８上に例えば上下方向の入力が有り、４つ以上のＬＡＰの測定が完了している状態ではスクロール表示によって詳細情報表示領域Ｓ８に表示されていないＬＡＰの締付トルクを順番に表示する。
【００５５】
このように表示制御部２２は、初期設定では詳細情報表示領域Ｓ８内に所定時点以降から最新までの所定数の測定値を表示し、所定時間よりも前の測定値については前記詳細情報表示領域Ｓ８内に表示しないように構成されている。すなわち、最新の測定値と所定回前までの測定値のみがデフォルトでは表示されるので、測定時点が多数となっても表示画面Ｄ内の一覧表示の大きさを一定に保ち、作業者が視認しやすい状態を保つことができる。
【００５６】
このような詳細情報を個別画面に表示することにより、詳細情報表示領域Ｓ８内に何回目の測定であるかを示すＬＡＰ数とともに、その締付トルクが表示されるので、作業者は詳細情報表示領域Ｓ８を見るだけで、予め定められている作業工程においてどの程度まで進んでいるかをすぐに確認することができる。
【００５７】
例えば、作業工程が５回の締付け作業が定義されている場合であれば、ＬＡＰ５が表示されていればこの締付作業が一巡の作業が完了したことがわかる。また、ＬＡＰ４までしか表示されていなければ、どこかの締付箇所が抜けている可能性があることがわかり、すぐに作業した内容を確認して不良を発見することができる。
【００５８】
さらに、一覧表示はＬＡＰ数とともに対応する締付トルクが表示されているので、例えば現在行っているはずの締付作業で必要とされる設定トルクに対して大きく異なる締付トルクが表示されている場合には、締付箇所を間違っている可能性に作業者は気づくことが可能となる。
【００５９】
また、図８に示すように、詳細情報表示領域Ｓ８に詳細情報を表示しなくてもよい。
【００６０】
さらに、表示制御部２２は、図８に示すように、個別画面において、ディスプレイＤに設定された測定値表示領域Ｓ４に表示された締付トルクとは別領域Ｓ９の表示態様を、締付トルクに応じて、締付途中の作業者に知覚可能に変化させるように構成してもよい。なお、ここでいう知覚可能な変化とは、少なくとも視覚を通じて認識することのできる変化であり、表示機器２０が作業者の周辺に設けられている場合において、締付途中の作業者がディスプレイＤに視線を移すことなく、その変化を感じ取ることができる程度の変化である。
【００６１】
上述した別領域Ｓ９は、ディスプレイＤの表示領域全体における少なくとも半分以上であることが好ましく、ここではディスプレイＤの背景を別領域Ｓ９として設定してあり、その表示態様としては例えば色、模様、明るさ等が挙げられる。
【００６２】
表示制御部２２は、ここではディスプレイＤの背景色を締付トルクに応じて変更するように構成されており、具体的には背景色を締付トルクに応じて互いに異なる複数色に段階的に切り替える。
【００６３】
各表示態様である背景色は、それぞれに対して予め設定された数値範囲内に締付トルクが含まれていることを示しており、言い換えれば、各表示態様は互いに異なる作業状況を示している。なお、各背景色は、２色覚者が識別可能な色であることが好ましい。
【００６４】
表示態様の一例としては、例えば締付トルクが０である場合の第１の表示態様として黒色の背景色など、締付トルクが０より大きく所定の第１トルク以下である場合の第２の表示態様として灰色の背景色など、締付トルクが第１トルクよりは大きく所定の第２トルク以下である場合の第３の表示態様として黄色の背景色など、締付トルクが第２トルクより大きく設定トルク以下である場合の第４の表示態様として緑色の背景色などが挙げられる。上記の場合、第１の背景色〜第４の表示態様は、それぞれ未作業状態、低トルク状態、中トルク状態、作業完了状態を示している。なお、切り替わる色の種類や数はこれに限らず、適宜変更して構わない。
【００６５】
本実施形態の表示制御部２２は、作業完了状態を示す第４の表示態様において、作業完了状態であることを示す完了記号Ｘを表示するように構成されている。
【００６６】
また、表示制御部２２は、締付トルクが設定トルクより大きい場合に、作業不合格状態を示す第５の表示態様に切り替えるように構成されている。なお、第５の表示態様としては、図９に示すように、上記と同様に背景色を変更させる態様や、表示された締付トルクの文字色を反転させる態様や、作業不合格状態を示す警告記号Ｙを表示する態様や、それらを組み合わせた態様など、種々の態様が挙げられる。
【００６７】
このような表示態様によれば、ディスプレイＤの背景色を、締付トルクに応じて変化させるので、作業者は視線を表示機器２０に移すことなく、表示態様の変化を感じ取ることができる。これにより、作業者は、表示態様の変化を感じ取ることで、締付トルクが徐々に増していることや、締付トルクが設定トルクに到達したこと等を締付途中に視線を手元から移すことなく知ることができ、作業性の低下を招くことなく、トルクレンチ１０ａの小型化や軽量化を図れる。
【００６８】
また、背景表示全体の背景色を締付トルクに応じて段階的に変更させるので、作業者にとってその変化をより感じ取りやすいものとすることができる。
【００６９】
なお、本発明は前記実施形態に限られるものではない。
【００７０】
例えば、表示機器２０が、一覧表示された測定工具１０の中からユーザが表示機器２０に対する通信接続を解除する測定工具１０を示す接続解除信号を受け付ける接続解除信号受付部をさらに有し、表示制御部２２が、接続解除信号受付部が受け付けた接続解除信号に基づいて、一覧表示から、当該測定工具に関する表示（接続表示領域、測定値、識別情報）を消去するように構成してもよい。この場合、接続解除信号受付部が、一覧表示領域Ｓ１内に表示された通信接続を解除したい測定工具１０に係る接続表示領域Ｓ２におけるタッチパネルへの入力（例えば、指先で画面に触れてその指を移動させるスワイプ操作）によって生成される接続解除信号を受け付けるように構成すればよい。
【００７１】
さらに、表示機器２０としてはポータブル端末に限らず、例えば作業者が装着可能なゴーグル型のものであっても良い。この場合、作業者はディスプレイＤを介して手元を見るので、表示態様の変化をより感じ取り易くなる。加えて、表示機器２０としては、プロジェクタを用いて構成されていても良く、この場合は例えば壁面やスクリーンなどが締付トルクを表示する画面である。
【００７２】
測定工具１０としては、測定データを送信するのみならず、例えば表示機器２０から設定データを受信するなど、表示機器２０との間で種々のデータを送受信するものであっても良い。また、測定工具１０としては、例えば測定値を表示するディスプレイが設けられたものであっても構わない。
【００７３】
その他、本発明は前記実施形態に限られず、その趣旨を逸脱しない範囲で種々の変形が可能であるのは言うまでもない。
【符号の説明】
【００７４】
１００・・・工具システム
１０  ・・・測定工具
１１  ・・・測定機構
１２  ・・・通信手段
１３  ・・・データ送信部
２０  ・・・表示機器
２１  ・・・データ受信部
２２  ・・・表示制御部
２３  ・・・選択信号受付部
Ｄ    ・・・ディスプレイ
Ｓ１  ・・・一覧表示領域
Ｓ２  ・・・接続表示領域
Ｓ３  ・・・非接続表示領域（別領域）
【図１】
2020049625.tif 000003
【図２】
2020049625.tif 000004
【図３】
2020049625.tif 000005
【図４】
2020049625.tif 000006
【図５】
2020049625.tif 000007
【図６】
2020049625.tif 000008
【図７】
2020049625.tif 000009
【図８】
2020049625.tif 000010
【図９】
2020049625.tif 000011